(57)【特許請求の範囲】
【請求項１】
−  限定された送信範囲を有し、選択された場所に配置される複数の送信機を準備し、前記各送信機は、前記送信機の特定の配置場所及び送信時間に応じた情報を送信することができ；
−  一又は複数の前記送信機からの情報を受信及び出力することが出来る複数の携帯受信機を準備し；
−  前記携帯受信機によって出力される、各々が前記送信機の配置場所に関する第１情報を任意な他の情報と共に少なくとも幾つかの前記送信機より送信し；
−  前記受信機において利用可能な前記送信機より送信された前記第１情報を少なくとも幾つかの受信機のディスプレイ上に表示し；
−  利用可能な前記送信機の中からの選択を、少なくとも幾つかの前記受信機のディスプレイに入力することを含み、
それにより、前記受信機が、前記選択された送信機から、少なくともその一部が前記送信機の場所に関連した各受信機の場所に従属する第２情報を受信することが出来る情報通信方法。
【請求項２】
−  前記各送信機は一又はそれ以上の所定チャンネルのグループに前記第１情報を送信し；
−  少なくとも前記受信機の一つが前記所定チャンネルのグループを周期的、循環的又は継続的に走査し、一又は複数の前記受信機が利用可能な前記送信機に関する前記第１情報を表示する請求項１記載の方法。
【請求項３】
前記送信機が前記第１情報を
−  種々の周波数／振幅で変調された周波数／振幅変調信号により定義されたチャンネル
−  種々の波長で送信された光信号により定義されたチャンネル、及び
−  時分割多重システムにおける種々のスロットにより定義されたチャンネル
から成るグループの一又はそれ以上により定義されるチャンネルで送信する請求項２記載の方法。
【請求項４】
前記第１又は第２情報は視覚情報を含み、前記受信機は視覚情報を表示可能な所定の最低限の解像度を有するディスプレイを備え、前記送信機及び受信機が最低限の解像度の有用性を許容する帯域幅で操作するよう適合された請求項１〜３いずれか１項記載の方法。
【請求項５】
帯域幅がビデオ信号の送信を許容する請求項３記載の方法。
【請求項６】
前記受信機が一又は複数の送信機から送信された種々の情報源の中から選択する手段を含む請求項１〜５いずれか１項記載の方法。
【請求項７】
種々の情報源の中から選択する手段が、受信機からの送信が無くても作動する請求項６記載の方法。
【請求項８】
種々の情報源の中から選択する手段が、受信機のディスプレイ上で選択を実行する手段を含む請求項６記載の方法。
【請求項９】
少なくとも幾つかの送信機の送信範囲は、一又はそれ以上の少なくとも幾つかの送信機が配置されている建築物に限定される請求項１〜８いずれか１項記載の方法。
【請求項１０】
少なくとも幾つかの送信機の送信範囲が室内に限定される請求項９記載の方法。
【請求項１１】
少なくとも幾つかの前記受信機は該受信機の位置及び/又は方向を基に複数の利用可能な前記送信機の中から選択することが出来る請求項１〜１０いずれか１項記載の方法。
【請求項１２】
少なくとも幾つかの前記受信機は指示手段を具備し、複数の利用可能な前記送信機の中からの選択は、希望する前記送信機へ指示手段を指し示すことにより実行される請求項９記載の方法。
【請求項１３】
少なくとも幾つかの前記受信機の前記ディスプレイがタッチスクリーンである請求項１〜１２いずれか１項記載の方法。
【請求項１４】
少なくとも幾つかの送信機により送信された前記第１又は第２情報はビデオ及び/又は音声を含む請求項１〜１３のいずれか１項記載の方法。
【請求項１５】
少なくとも幾つかの送信機から送信される前記第１又は第２情報が、各送信機の全部又は部分的な帯域幅をリースしている情報提供者からの局地的ではない情報を含む請求項１〜１４いずれか１項記載の方法。
【請求項１６】
場所に関する情報が
−  駐車場の空き地に関する情報
−  スーパーマーケット又はその他のタイプの店舗の企画や商品に関する情報
−  所定の場所において陳列され、展示され、売り物となっている品目に関する情報
−  旅行中又は周遊旅行中に訪れる場所に関する情報及び
−  例えば、冷蔵庫、鍵、電灯等の建築物に関する種々の品目の状態に関する情報から成るグループから選択される請求項１〜１５いずれか１項記載の方法。
【請求項１７】
一又はそれ以上の受信機から一又はそれ以上の送信機へ第３情報を送信する請求項１〜１６いずれか１項記載の方法。
【請求項１８】
前記第３情報が送信機に送信されると、送信機は送信された前記第２情報を部分的に変更させる請求項１７記載の方法。
【請求項１９】
少なくとも一の送信機により送信された前記第１又は第２情報が、多数の種々の部分の情報を含み、各部分が少なくとも前記第３情報及び第４情報を含み、前記第３情報が前記受信機のスクリーン又はモニターに表示される請求項１〜１８いずれか１項記載の方法。
【請求項２０】
受信機がタッチスクリーンを含み、作動部分の前記第３情報が少なくとも幾つかのタッチスクリーン上の前記第３情報を示すことにより受信機により出力され、タッチスクリーン上の一又はそれ以上の所定領域は作動されると、一又はそれ以上のその他の選択部分に関する前記第３情報の少なくとも一部は出力され、一又は複数の他の部分を選択する決定に於いて重要な作動部分の前記第４情報は、一又は複数の作動領域を基にする請求項１９記載の方法。
【請求項２１】
前記第１又は第２情報の所定部分が選択された場合、送信機から受信したビデオ信号がタッチスクリーン上に表示される請求項２０記載の方法。
【請求項２２】
タッチスクリーンの所定領域の次の作動は所定部分を選択し、少なくとも前記第３情報の一部を出力する請求項２１記載の方法。
【請求項２３】
送信機は定期的に一又はより多くの受信機へ前記第１又は第２情報を送信し、又、送信の周期は、前記第１又は第２情報の第２部分のビデオ信号が所定の帯域幅で送信されることを確保するに十分に高い請求項２１又は２２記載の方法。
【請求項２４】
−  送信された前記第１又は第２情報を受信及び記憶する手段
−  受信した前記第１又は第２情報の種々の部分から選択する手段
−  選択された情報を出力する手段
−  受信機が利用可能な送信機に関する前記第１情報を表示する手段、及び
−  利用可能な送信機間での選択を入力する手段から成る
請求項１〜２３いずれか１項記載の方法に於いて使用される受信機。
【請求項２５】
所定のチャンネルグループを継続的又は周期的に走査し、入手可能な送信機に関する前記第１情報を表示して、一又はより多くのチャンネルに送信する手段を含む請求項２４記載の受信機。
【請求項２６】
走査手段が
−  種々の周波数／振幅で変調された周波数／振幅変調信号により定義されたチャンネル
−  種々の波長で送信された光信号により定義されたチャンネル、及び
−  時分割多重システムに於いて種々のスロットにより定義されたチャンネル
から成るグループの内の一又はそれ以上により定義されるチャンネルを走査する手段を含む請求項２５記載の受信機。
【請求項２７】
前記選択手段はタッチスクリーンを含み、所定位置でタッチスクリーンに触れた使用者により選択された前記第１又は第２情報の第１所定部分を有するように適応される請求項２４〜２６いずれか１項記載の受信機。
【請求項２８】
前記受信手段が、一又は複数の送信機から送信された種々の情報源の中から選択する手段を含む請求項２４〜２７いずれか１項記載の受信機。
【請求項２９】
種々の情報源の中から選択する手段が受信機からの送信が無くても作動する請求項２８記載の受信機。
【請求項３０】
種々の情報源/チャンネルの中から選択する手段は、タッチスクリーン上で選択を実行する手段を含む請求項２４〜２７いずれか１項記載の受信機。
【請求項３１】
前記選択手段は複数の利用可能な送信機を、受信機の位置及び/又は方向を基に選択するよう適合される請求項２４〜３０いずれか１項記載の受信機。
【請求項３２】
前記選択手段は指示手段を含み、複数の利用可能な送信機の中での選択が所望の送信機へ指示手段を指すことにより行われる請求項２９記載の受信機。
【請求項３３】
前記受信機が一又はそれ以上の送信機へ前記第３情報を送信する手段を含む請求項２４〜３２いずれか１項記載の受信機。
【請求項３４】
前記第１又は第２情報の第２所定部分が選択された場合に、前記選択手段及び前記出力手段がビデオ信号を出力するように適応される請求項２４〜３３いずれか１項記載の受信機。
【請求項３５】
第２所定部分が出力された時に、選択手段がタッチスクリーンの作動に基づいて前記第１又は第２情報の所定第１部分を出力するよう適合される請求項３４記載の受信機。
【請求項３６】
前記第１又は第２情報を受信及び記憶する手段は、前記第１又は第２情報を種々の部分に分割し、記憶手段の種々の所定部分の各部分に記憶する手段を含み、前記選択手段は、前記第１又は第２情報の選択部分に対応する記憶手段の部分を識別する手段を含む請求項２４〜３５いずれか１項記載の受信機。
【請求項３７】
前記受信及び記憶手段は
−  前記第１又は第２情報を異なる情報の部分である表示される情報及び、制御情報に分割する手段、及び
−  出力手段が情報のそれらの部分を同じ手順で出力するために、情報の種々の部分の各々において、少なくとも本質的に同じ方法／順序で情報を記憶する手段
から成る請求項３６記載の受信機。
【請求項３８】
追加記憶手段と相互作用及び／又は連動することにより、記憶手段の能力を増加させる手段を更に含む請求項２４〜３７いずれか１項記載の受信機。
【請求項３９】
−  送信された前記第１又は第２情報を受信し、記憶する手段
−  前記第１又は第２情報の種々の部分を識別する手段
−  前記情報の個々の部分を、少なくとも一部が表示される情報である第３情報及び制御情報である第４情報に分割する手段、及び
−  情報の個々の部分の前記情報を少なくとも本質的に同じ方法／順序で送信するような方法で、前記受信した第１又は第２情報を送信する手段
から成る請求項１〜２３いずれか１項記載の方法に使用する送信機。
【請求項４０】
前記送信手段が継続的、反復的及び／又は周期的な前記第１又は第２情報の送信を実行するために適合される請求項３９記載の送信機。
【請求項４１】
前記第１又は第２情報の送信の周期が、情報の異なる部分の１つとして所定の帯域幅でビデオ信号が送信されることを確保するに十分に高い請求項４０記載の送信機。
【請求項４２】
前記受信及び記憶手段は、情報を受信又は生成する複数の手段を含み、少なくとも一つの情報を受信又は生成する手段は、送信機の近隣の場所に関する情報を受信又は生成するために適合され、少なくとも一つのその他の情報を受信又は生成する手段が送信機の設置場所から離れた一又はそれ以上の場所に関する情報を受信又は生成するよう適応される請求項３９〜４１いずれか１項記載の送信機。
【請求項４３】
情報を提供し，請求項１〜２３いずれか１項記載の方法を実行するシステムであって、請求項２４〜３８いずれか１項記載の複数の受信機と、請求項３９〜４２いずれか１項記載の複数の送信機とを備えるシステム。
【発明の詳細な説明】
【０００１】
本発明は情報通信方法、特に一又はそれ以上の携帯型受信機、通常ハンドヘルド受信機が情報を一又はそれ以上の送信機から受信し、所定の送信機からの全体又は一部の情報は、特に送信機の場所やその所有者に関するものである。この方法で、前記受信機は関連情報を受信及び提供し、通常は送信機（又はその所有者）により制御される。
【０００２】
通常の無線信号やテレビ信号のように送信機が大きな操作範囲を有するシステムとは逆に、本発明の送信機は、通常は小さな操作範囲を有し、都市又は地方よりも小さな範囲  −  通常は店、ゴルフコース、駐車場又は家屋等の建築物内などに特定した情報に関する。受信機の使用者は日常の種々の場所で、その日の間の種々の時間又は場所にいる使用者が送信する複数の送信機から送信される役立つ/楽しい情報を受信することが出来る。
【０００３】
同様の受信機、システム又は方法について発明者は、不知である。
本発明は第１に、限定された送信範囲を有し、選択された場所に配置される複数の送信機を準備し、各送信機は、送信機の特定の配置場所及び送信時間に応じた情報を送信することができ；
一又は複数の送信機からの情報を受信及び出力することが出来る複数の携帯受信機を準備し；
前記携帯受信機によって出力される、各々が送信機の配置場所に関する第１情報を任意な他の情報と共に少なくとも幾つかの前記送信機より送信し；
前記受信機において利用可能な送信機より送信された前記第１情報を少なくとも幾つかの受信機のディスプレイ上に表示し；
利用可能な送信機の中からの選択を、少なくとも幾つかの受信機のディスプレイに入力することを含む情報通信方法に関し、 そして、それにより、受信機が、前記選択された送信機から、少なくともその一部が前記送信機の場所に関連した各受信機の場所に従属する第２情報を受信することが出来る。
【０００４】
このタイプの方法又はシステムは、好適にはハンドヘルドの同じ受信機を使用した、場所に特定した情報を得る新しい方法を提供する。送信機、好適には同様の通信プロトコル及び情報管理を使用した送信機のある場所なら何処でも、所有している情報を近隣の受信機に送信しても良い。この方法では、レストラン、駐車場、店、建築物、建築物の集合体、飛行機、車、列車、行楽地、運動競技場又はその他の場の所有している情報／広告を訪問者／取引先又は単なる近隣の人々に提供しても良い。
【０００５】
又、使用者の受信機は例えば、車や飛行機又は列車などの中にいる時に情報を得るために使用されても良い。これには、車、飛行機又は列車は外用の受信機及び外部から内部へ情報を中継するための内用の送信機を具備することが必要となる。又、前記内用の送信機は、中継された外部の情報と、実際の車、飛行機又は列車に関する情報を送信するために使用される。任意に、受信機が車内にある間、前記内用の送信機は  受信機を支えるホルダーの形状を有していても良い。
【０００６】
各使用者は通常自分の受信機を有し、情報の流れを走査するために使用する。
好適には、
−各送信機は一又はそれ以上の所定チャンネルのグループに前記第１情報を送信し；
−少なくとも受信機の一つが所定チャンネルのグループを周期的、循環的又は継続的に走査し、一又は複数の受信機が利用可能な送信機に関する前記第１情報を表示する。
【０００７】
この場合、送信機は前記第１情報を
− 種々の周波数／振幅で変調された周波数／振幅変調信号により定義されたチャンネル
− 種々の波長で送信された光信号により定義されたチャンネル、及び
− 時分割多重システム(time division multiplexing system)における種々のスロットにより定義されたチャンネルから成るグループの一又はそれ以上により定義されるチャンネルで送信しても良い。
【０００８】
又、チャンネルは種々の方向に所定の位置から受信可能な信号により定義されても良い。そのような信号は、全方向に送信され、方向反応性受信機を使用して受信する全方向送信信号、又は、所定の方向に送信され、非方向反応性受信機が使用された信号等、あらゆるタイプの信号であっても良い。
【０００９】
既知の二又はそれ以上の空間的重複信号(spatially overlapping signals)を送信する方法は、該信号が個々に受信されても良いため、使用されても良い。
【００１０】
好適には、前記第１又は第２情報は視覚情報を含み、前記受信機は視覚情報を表示可能な所定の最低限の解像度を有するディスプレイを備え、最低限の解像度の有用性を許容する帯域幅で操作するよう適合された前記送信機及び受信機を含む。
【００１１】
娯楽価値を高めるために、帯域幅はビデオ信号の送信を許容することが好適である。この方法で、情報は、送信機又はその所有者が受信機の所有者の娯楽を提供する、インターネットのホームページやビデオ供給装置に似た画像の組み合わせを含んでも良い。このビデオ供給装置は、例えば映画であっても良い。
【００１２】
このように、同様の受信機は、例えばメニューを提供したり、オンボードショップの宣伝をしたり、飛行中にビデオを見せる飛行機に使用されても良い。
【００１３】
受信機が通常一人に一つずつ  −  そして、多数の送信機が重複する範囲に配置されることが予測され、受信機は一又は複数の送信機から送信された種々の情報源の中から選択する手段を含んでも良い。最も単純な状況において、種々の情報源の中から選択する手段は、受信機からの送信が無くても作動しても良い。
【００１４】
一の送信機からの種々の情報源は例えば、一の情報源に関する情報を含む６番目のスロット毎に時間分割方法で送信される情報であっても良い。このタイプの状況の例は、スーパーマーケットにおいて、一の送信機（又は同様の信号を送信する多重送信機）がこのコンポジット信号を送信し、例えば、肉部門に関する情報が一つのチャンネルから送信され、青果部門に関する情報はその他のチャンネルから送信される。種々のチャンネル又は情報源を変えることは、情報を回収するための時間スロット間で置き換えることにより単純に行われる。
【００１５】
一つの方法では、種々の情報源の中から選択する手段は、受信機のディスプレイ上で選択を実行する手段を含む。このディスプレイがタッチスクリーンである場合、その領域の作動は、その選択をもたらす。代わりに、スクリーンはノーマルスクリーン（例えば、CRT又はLEDモニター）であっても良く、受信機はカーソル／マウス又は、モニター上の種々の選択に対応する多数のボタンなどの指示装置を有しても良い。
【００１６】
代わりに、少なくとも幾つかの受信機は該受信機の位置及び/又は方向を基に複数の利用可能な送信機の中から選択することが出来る。受信機が送信機を後で”ロック”するために、所定の送信者の身元を受信者に通知することが出来るセンサーが存在する。この場合、少なくとも幾つかの受信機は指示手段を具備し、複数の利用可能な送信機の中からの選択は、希望する送信機へ指示手段を指し示すことにより実行される。
【００１７】
好適には、少なくとも幾つかの送信機の送信範囲は、一又はそれ以上の少なくとも幾つかの送信機が配置されている建築物に限定される。この場合、そのような送信機から提供される情報は、その建築物又はその内容に関するものであっても良い。幾つかの例においては、実際に、少なくとも幾つかの送信機の送信範囲は室内に限定されても良い。
【００１８】
好適な実施例おいては、少なくとも幾つかの受信機のディスプレイはタッチスクリーンである。これは同じユーザインターフェースが情報の出力及び選択の入力のために使用されるので、最も単純で丈夫な製品を提供する。また、このユーザインターフェースは、例えば受信機のプッシュボタンの数ではなく、タッチスクリーンにより選択数入力手段(the number of selection entering means)の数が定義されるので用途が広い。新しいアプリケーション、新しいスクリーンレイアウト又は新しいタイプの情報は、例えば受信機上のプッシュボタンの数に限定されずに提供されても良い。
【００１９】
前述の通り、好適には少なくとも幾つかの送信機により送信された前記第１又は第２情報はビデオ及び/又は音声を含む。
【００２０】
このシステム及び方法では、送信機の所有者又はオペレータは送信される情報の内容を個々に決定する。総合的な概念により、この情報は通常、送信機の近隣に関する情報を含む。しかし、所有者又はオペレータは、各送信機の全部又は部分的な帯域幅をリースしている情報提供者からの局地的ではない情報を含む、少なくとも幾つかの送信機から送信された前記第１又は第２情報を決定しても良い。
【００２１】
そのような情報は、受信機への情報の流れの一部を賃貸又は貸借した、広告又はビデオ供給装置、ニュースチャンネル、インターネットからの情報/ホームページ等であっても良い。
【００２２】
勿論、場所に関する情報は所有者又はオペレータが送信することを求めた情報であっても良い。以下は、その例である。
−  駐車場の空き地に関する情報
−  スーパーマーケット又はその他のタイプの店舗の企画や商品に関する情報
−  所定の場所において陳列され、展示され、売り物となっている品目に関する情報
−  旅行中又は周遊旅行中に訪れる場所に関する情報及び
−  例えば、冷蔵庫、鍵、電灯等の建築物に関する種々の品目の状態に関する情報。
【００２３】
一又はそれ以上の受信機から一又はそれ以上の送信機へ第３情報を送信することが望まれることがある。この理由の一つは、第３情報が送信機に送信されると、送信機は送信された前記第２情報を部分的に変更させるためである。この方法では、使用者は希望の情報を得たり、送信機から送信された情報の質や内容に影響を及ぼすことが出来るため、受信機の使用者と送信機の所有者／オペレータの間で相互作用（interaction）が起こる。
【００２４】
好適には少なくとも一の送信機により送信された前記第１又は第２情報は、情報の多数の種々の部分を含み、各部が少なくとも第３及び第４情報から成り、第３情報は受信機のスクリーン又はモニターに表示される画像に関する情報である。ある状況では、送信される情報は多数の固定スクリーン及び一又は二のビデオ供給装置の数に対応する。
【００２５】
この場合、受信機がタッチスクリーンを含み、現在作動している部分の第３情報が少なくとも幾つかのタッチスクリーン上の第３情報を示すことにより受信機により出力され、タッチスクリーン上の一又はそれ以上の所定領域は作動されると、一又はそれ以上のその他の選択部分に関する第３情報の少なくとも一部は出力され、一又は複数の他の部分を選択する決定に於いて重要な作動部分の第４情報は、一又は複数の作動領域を基にしたものとなる。従って、第４情報は、タッチスクリーンのどの領域が作動可能で、情報のどの他の部分が所定の作動領域が選択された場合に変化するかを定義する情報を含む。
【００２６】
前記第１又は第２情報の所定の第４情報が選択され、送信機より受信したビデオ信号がタッチスクリーン上に表示された時は、これを行わないことが望ましい。この場合、送信機からのこの情報の内容は迅速に変化するが（静止画像又は大体固定されたスクリーン画像とは逆に）、映画やビデオ供給装置を見る時に得る動きに関する情報は同じままとなる。例えば、タッチスクリーンの所定領域の次の作動は所定部分を選択し、第３情報の少なくとも一部を出力し、それによりビデオ供給装置での視認は停止する。
【００２７】
好適には送信機は定期的に一又はより多くの受信機へ前記第１又は第２情報を送信し、又、送信の周期は、好適には、ビデオ信号が所定の帯域幅で送信されることを確保するに十分に高い。
【００２８】
これは、ビデオ信号に十分な割合で情報の全ての部分を送信することにより得られる。その他の方法は十分な割合でビデオ信号を含む情報の部分を送信し、変化部分より頻繁ではなく、”ビデオ信号部”の中間に、その残留部分を挿入することである。従って、その部分が連続的に送信された時、全ての部分は所定の順序  −  及び、全ての部分が３０ＨＺ又はそれ以上で送信される割合で送信されても良い。代わりに、前記”ビデオ部分”は秒毎（又は他の周期）の部分及びその他の”時間スロット”の他の部分に送信されても良い。従って、送信の割合はより小さくなっても良いが、ビデオ信号の割合は変わらない。
【００２９】
本発明の別の面は上記方法に使用する受信機に関するものであり、
− 送信された前記第１又は第２情報を受信及び記憶する手段
− 受信した前記第１又は第２情報の種々の部分から選択する手段
− 選択された情報を出力する手段
− 受信機が利用可能な送信機に関する前記第１情報を表示する手段、及び
− 利用可能な送信機間での選択を入力する手段。
受信機は好適には、チャンネル／情報の所定のグループを継続的又は周期的に走査する手段、送信機に関する前記第１情報を表示して一又はより多くのチャンネルに送信する手段を含んでも良い。
【００３０】
この場合、走査手段は、
− 種々の周波数／振幅で変調された周波数／振幅変調信号により定義されたチャンネル
− 種々の波長で送信された光信号により定義されたチャンネル、及び
− 時分割多重システムに於いて種々のスロットにより定義されたチャンネル
から成る、グループ内の一又はそれ以上により定義されるチャンネルを走査する手段を含んで良い。
【００３１】
好適には、選択手段はタッチスクリーンを含み、所定位置でタッチスクリーンに触れた使用者により選択された前記第１又は第２情報の第１所定部分を有するように適応される。又、選択手段は好適には使用者が触れる所定位置、出力する受信情報の他の部分に依存する決定手段を含む。
【００３２】
又、受信手段は一又は複数の送信機から送信された種々の情報源から選択する手段を含んでも良く、種々の情報源の中から選択する手段は好適には受信機からの送信が無くても作動する。
【００３３】
前述の通り、好適には、種々の情報源を選択する手段は、タッチスクリーン上で選択を実行する手段を含み、該選択手段は複数の利用可能な送信機を、受信機の位置及び/又は指示を基に選択するよう適合されても良い。又、選択手段は指示手段を含んでも良く、複数の利用可能な送信機の中での選択が所望の送信機へ指示手段を指すことにより行われても良い。
【００３４】
タッチスクリーンは受信者にとって利用可能な送信機を示すように適応されることが望ましい。
【００３５】
送信機の所有者／オペレータ又は、それにより送信される情報への影響との相互作用を有するためには、受信機は一又はそれ以上の送信機へ前記第３情報を送信する手段を含んでも良い。
【００３６】
多くの場合、前記第１又は第２情報の第２所定部分が選択された場合に、選択手段及び出力手段がビデオ信号を出力するように適応されることが望ましい。この場合、選択手段は、第２所定部分が選択された場合に、タッチスクリーンの作動に基づいて受信された前記第１又は第２情報の所定の第１部分を選択及び出力するよう適合される。
【００３７】
好適には、個々の部品に関する情報は、同様の包括的な構成部分を含む。従って、前記第１又は第２情報を受信及び記憶する手段は、前記第１又は第２情報を種々の部分に分割し、記憶手段の種々の所定部分の各部分に記憶する手段を含んでも良く、選択手段は、前記第１又は第２情報の選択部分に対応する記憶手段の部分を識別する手段を含む。この方法で、前記第１又は第２情報の所定の部分の出力又は表示は標準化されても良い。
【００３８】
従って、受信及び記憶手段は
−第１又は第２情報を異なる情報の部分である表示される情報である第３情報及び、制御情報である第４情報に分割する手段、及び
−出力手段が情報のそれらの部分を同じ手順で出力するために、情報の種々の部分の各々において、少なくとも本質的に同じ方法／順序で情報を記憶する手段から成る。
【００３９】
又、受信機により受信され処理される情報量を増やすために、追加記憶手段と相互作用及び／又は連動することにより、記憶手段の能力を増加させる手段を更に含んでも良い。
【００４０】
第３の面においては、上記方法に使用するための送信機に関する発明は
−送信された前記第１又は第２情報を受信し、記憶する手段
−前記第１又は第２情報の種々の部分を識別する手段
−前記情報の個々の部分を、少なくとも一部が表示される第３情報及び、制御する第４情報に分割する手段、及び
−情報の個々の部分の前記情報を少なくとも本質的に同じ方法／順序で送信するような方法で、前記受信した第１又は第２情報を送信する手段から成る。
【００４１】
前述の通り、送信手段は好適には継続的、反復的及び／又は周期的な前記第１又は第２情報の送信を実行するために適合され、情報の種々の部分の一つとして所定の帯域幅でビデオ信号が送信されることを確保するために、前記第１又は第２情報の送信周期は十分高いことが好適である。情報の全ての部分が、この周波数又は割合で送信されても良く − 又はビデオ信号部は情報の他の部分よりも高い割合で送信されても良い。
【００４２】
又、受信及び記憶手段は、例えばインターネット、テレビ、その他のデータ手段又は遠隔位置からの情報転送（コンピュータモデム、テレビ放送、電話ケーブル、インターネット、衛星通信等）等、近くのデータ又は情報記憶装置から情報を受信するための、情報を受信又は生成する複数の手段を含み、少なくとも一つの情報を受信又は生成する手段は、送信機の近隣の場所に関する情報を受信又は生成するために適合され、少なくとも一つのその他の情報を受信又は生成する手段が送信機の設置場所から離れた一又はそれ以上の場所に関する情報を受信又は生成するよう適応される。
【００４３】
受信機であるノウリッジマン(KnowledgeMan)の好適な実施例は図面を参照して下記の通りである。
【００４４】
送信機
送信は適切な無線通信を使用して行われる。この記載では、赤外線波（IR）に特定する。
【００４５】
このIR送信機はコンピュータ、消去プログラム読出し専用メモリー（E-prom）又は幾つかのその他の情報源に接続される。
【００４６】
送信は発光ダイオード又はレーザダイオードにより利用される。変調は装置の線形領域内で、又は動作周期を調整するアナログ値を使用した高い速度切替えにより行われる。
【００４７】
周囲発光（surround radiation）は単一強力レーザ及び光発散機構から得られる。一つの方法としては、例えば、天井に取り付けられた回転対称凸面”鏡”を指す。該レーザは該鏡に同心状に取り付けられる。
【００４８】
代わりに、一又は複数の発光ダイオード(LED)又はレーザダイオード(LD)のリングが空間を被覆することが出来る。
【００４９】
送信機により送信された情報は、送信機の所有者に応じて多様である。従って、この情報は多少変化のないページ又はそのようなページと継続的なビデオ/音声供給装置の組み合わせであっても良い。 又、送信機は該システムの帯域幅の賃貸部分を有する第三者から提供される情報と結びついた送信機の所有者に関する情報を送信する。
【００５０】
好適には送信機は予め定義された領域から成るWWWページ(HTMLページ)の形態のように情報の一部を受信するように適合され、他のページにそれをリンクする。又、送信機 − 又はそのコンピュータはそのようなページを第３及び第４情報に送信するように適合され、第３情報はページの図画情報を含み、第４情報は、各作動領域に関する情報とHTMLページのリンクにより示されたページの情報を含む情報のその他の部分の識別子を含む。従って、HTMLページの操作及び相互運用性（interoperability）/インターリンク（interlink）はコピーされる。しかし、受信機の操作を簡略化するために、HTMLページのリンクは受信機のタッチスクリーンの作動領域及び記憶中の関連する他のページの位置に関する単純な情報に置き換えられる。
【００５１】
送信
送信されたデータはアナログ形式でテキスト、画像、ビデオ及び音声を含んで良い。アナログ送信を使用することは、送信率の増加及びコスト削減を導く。送信率は約３０フレーム/秒である。
【００５２】
送信データは一のシングルストリームで集められるか、又は、複数の十分な平行ストリームを使用し、三のビデオ/画像構成部分と二のステレオ音声のストリーム及びコントロール情報の一のストリームを送信することが出来る。
【００５３】
受信機
本文脈における受信機は"ノウリッジマン"と名付けられ、IR受信機、メモリマネジャーを具備したメモリ、制御装置及びメモリを具備した液晶ディジタル（LCD）ディスプレイ及びタッチスクリーンを含む。
【００５４】
受信機の機能
ノウリッジマンはメモリマネージャーを通してデータを受信し、メモリを満たす。受信されたデータをアンパックするために、あるプロトコルは送信されたデータのパッキング用に使用される。
【００５５】
情報は、ディスプレイ上の一本線からビデオストリームでの連続画像まで、いかなるユニットサイズでも良い。それは送信機により放射された情報のタイプによる。
【００５６】
送信の連続に関わらず、受信機は情報をメモリ中に正確に記憶することが出来る。メモリからの情報の選択は受信工程と独立して行われる。
【００５７】
すべての情報源は使用者が選択出来る利用可能なサブジェクトを示す開始ページを有する。該開始ページは、メモリからLCD制御装置により取得され、LCDスクリーンに表示される。同時にLCD制御装置はタッチスクリーン処理装置に存在するタッチスクリーンボタンの数及びLCDスクリーン上におけるタッチスクリーンボタンの場所に関する情報を送る。
【００５８】
次に使用者は興味のあるサブジェクトを選択する。タッチスクリーン制御装置は情報をメモリマネジャーへ送り、次に、メモリから適当なデータを選択して、それをLCD制御装置へ送り、新しいページとしてスクリーン上に表示する。タッチスクリーン処理装置は又、新しいタッチボタンの情報と共に更新される。
【００５９】
これは、使用者が一つの情報源から利用可能な情報をサーフする方法である。この送信は継続モードであり、それは、送信機との接続がオンになっている限り前記メモリが常時更新されることを意味する。切断が発生した際には、受信機はまだ使用者が利用可能な記憶されたデータを有する。
【００６０】
使用者はLCDスクリーン上に表示される他の情報源からのデータを避けるために、受信機をある情報源に対してロックしても良い。
【００６１】
ハリファックス(Halifax)センサーを使用することにより、最適送信範囲を得るために、実際の送信機の配置場所についての指示を表示することが可能である。
【００６２】
受信機は十分なビデオ及び音声容量を有している。ビデオ情報を受信する際、メモリマネジャーはメモリを使用せずに情報をLCDディスプレイに直接転送する事が出来る。
【００６３】
更に、この情報の静的な表示方法は、メモリの１ページは例えば、ビデオをメモリの継続的な更新を経て受信する。メモリの選択は使用者に、飛行機、列車又は車で使用するためのビデオ供給装置を提供する。好適には、この場合、ノウリッジマンは音声を例えばスピーカーやヘッドフォンに出力するための手段を含むだろう。
【００６４】
構成部分
好適な実施例において、特定の構成部分/操作は下記の通りです。
【００６５】
フレームグラバー (Frame Grabber)
フレームに送られた情報を分割して、該フレームをメモリ内に記憶する。フレームは完全なページで、LCDスクリーン上に表示されても良い。
【００６６】
メモリ
一つの情報源から幾つかのサブジェクトが存在しても良い。フレーム/ページの階層で各サブジェクトは定義される。プッシュボタンが各フレームに存在することにより該階層は設けられ、各プッシュボタンは新しいフレームを表す。前記フレームはメモリの階層水準シーケンス（hierarchy level sequence）に記憶される。
【００６７】
例えばフレームの下記構造を備えた３つのサブジェクト(A, B, C)を有する。
レベル1     A         B            C                   レベル2
A1,A2       B1        C1,C2,C3
レベル3     A3,A4     B2,B3         C4,C5,C6,C7,C8
【００６８】
記憶シーケンスは
A B C A1 A2 B1 C1 C2 C3 A3 A4 B2 B3 C4 C5 C6 C7 C8である。
【００６９】
記憶工程を再び初めからやり直す。最良の方法でメモリを利用するために定義された複数の最適化工程がある。
【００７０】
メモリは例えば公知のタイプの取り替え可能なメモリを備えることによりにより拡大される。
【００７１】
メモリフレーム
メモリフレームは表示される情報を含み、該情報はプッシュボタン、位置、ディスプレイ上の各プッシュボタンの領域を定義する。更に、フレームは一のサブジェクトのための階層における次の水準上の下記フレームへのリンクを含む。
【００７２】
フレーム制御装置
メモリから次のメモリフレーム（送受信された情報の一部）を取り込み、LCDスクリーン上に少なくとも一部の第１情報を表示し、タッチスクリーンにフレーム中の存在するボタンの領域のための座標（該部分の第２情報の一部）を与える。
【００７３】
タッチスクリーン
入力後に、タッチスクリーンは前記フレーム制御装置に、どのフレームが次に表示されるかを示す。
【００７４】
LCDスクリーン
現時点のフレームを示す。
【００７５】
ページメモリ
最後に表示されたフレームナンバーを記憶する。切断が発生した場合には、このフレームが表示される。
ハードウェアの設定例及びその通信又は操作は図１に示されている。
【００７６】
操作
操作方法は図２から示されており、図２Ａは例えば新しい送信機から情報を受信した際にディスプレイ上に図解された開始ページである。このディスプレイは使用者が二の送信機及び二のサブジェクトの中から選択するための、多数の接触領域を備える。
【００７７】
図２の単独例は与えられた選択肢の選択がスクリーン上の利用可能なプッシュボタンの内容／動作と同様にスクリーン上の情報をどのように変化させるかを例証している。
それは（送信機を）押圧することにより見られ、利用可能な送信機は見えても良く、それはノウリッジマンの内容及び情報を全体的に変化させるために選択されても良い。
【図面の簡単な説明】
図１は好適なハードウエアセットアップ及び操作を示す。
図２はノウリッジマンにより受信した情報をどのようにナビゲートするかを示す。
【図１】
0004572049.tif 000002
【図２Ａ】
0004572049.tif 000003
【図２Ｂ】
0004572049.tif 000004
【図２Ｃ】
0004572049.tif 000005
【図２Ｄ】
0004572049.tif 000006
【図２Ｅ】
0004572049.tif 000007
【図２Ｆ】
0004572049.tif 000008
【図２Ｇ】
0004572049.tif 000009
【図２Ｈ】
0004572049.tif 000010